(57)【要約】  本発明は、少なくとも１つのローププーリを含むエレベータもしくはそれと同等なものの少なくとも１つの方向転換プーリを設置/固定する方法に関するものである。本方法によれば、方向転換プーリは複数のロープとともに、または装備された状態で、エレベータの近辺もしくはエレベータのシャフトに配設され、方向転換プーリは急速継手を用いて取り付け点に配される。  本発明はさらに、フレーム構体(３)によって所定位置に取り付けられた少なくとも１つのローププーリ(５)と、多数のロープから成るロープ群(７、7a、7b)とを含むエレベータもしくはそれと同等のものに関するものであり、ロープの通行が少なくとも一組の方向転換プーリ(６)を用いて配設され、一組の方向転換プーリ（６）は、急速継手によって取り外し可能に取り付けられるように配設されている。さらに、本発明は、一組の方向転換プーリ(６)をエレベータもしくはそれと同等のものの固定点に配置する急速継手の用法に関するものである。【選択図】図３
2007511450.tif 000002
【特許請求の範囲】
【請求項１】
少なくとも１つのローププーリを有するエレベータの少なくとも１つの方向転換プーリの据付/固定方法において、
−ロープとともに、または装備された状態の前記方向転換プーリを、前記エレベータの付近に、またはエレベータシャフトに配設し、
−前記方向転換プーリを、急速継手を用いて取付点に配置することを特徴とする据付/固定方法。
【請求項２】
請求項１に記載の方法において、前記方向転換プーリの取り外しを、前記急速継手を解放することによって行うことを特徴とする方法。
【請求項３】
請求項１または２に記載の方法において、前記エレベータのかごを保守のために懸垂して、該かごを、望ましくは滑車装置もしくは同等のものによって支持し、またはその代わりとして、前記かごを他の手段によって所定位置に固定することを特徴とする方法。
【請求項４】
請求項１から３までのいずれかに記載の方法によって設置されるエレベータ。
【請求項５】
フレーム構体によって所定位置に据え付けられた少なくとも１つのローププーリ（５）と、通行が少なくとも一組の方向転換プーリ（６）を用いて配設されている多数のロープから成る一組のロープ（７、7a、7b）とを含むエレベータにおいて、前記一組の方向転換プーリ（６）は、急速継手によって取り外し可能に取り付けられるように配設されていることを特徴とするエレベータ。
【請求項６】
請求項５に記載のエレベータにおいて、前記一組の方向転換プーリ（６）は、少なくとも１つの方向転換プーリ（11、11a、11b）と、フレーム構体（８）から成ることを特徴とするエレベータ。
【請求項７】
請求項５または６に記載のエレベータにおいて、方向転換プーリ（11、11a、11b）の個数は、偶数個、望ましくは２個であることを特徴とするエレベータ。
【請求項８】
請求項５から７までのいずれかに記載のエレベータにおいて、前記方向転換プーリ(11、11a、11b)に対して働く反対の力は、望ましくは互いにほぼ打ち消し合うように配設されていることを特徴とするエレベータ。
【請求項９】
請求項５から８までのいずれかに記載のエレベータにおいて、前記フレーム構体(８)は、少なくとも１つのボックス部品(８、8a、8b、8c、8d)から構成され、該部品は、少なくとも１つの方向転換プーリ(11、11a、11b)に対して、および/または互いに対して取り外し可能に固定されるように配設されていることを特徴とするエレベータ。
【請求項１０】
請求項９に記載のエレベータにおいて、該エレベータは、固定要素(９、10、12、13、14、15)と、少なくとも１つの方向転換プーリ(６，８、11、11a、11b)とを含み、該要素は、前記フレーム構体(３，８)に配設され、その対応部品(８、8c)に対して取り外し可能に固定されることが可能であり、前記プーリは、前記フレーム構体(３，８)に対して急速継手によって固定されることを特徴とするエレベータ。
【請求項１１】
請求項５から10までのいずれかに記載のエレベータにおいて、該エレベータは、前記フレーム構体(８)に対して固定されている取り外し可能なガード要素(8d)を含み、該要素は、前記複数のロープ（７、7a、7b）を案内し、および/または該ロープを所定位置に維持し、および/または有利にはごみもしくは同等のものが前記一組の方向転換プーリに入ることを防止することを特徴とするエレベータ。
【請求項１２】
一組の方向転換プーリ(６)をエレベータの固定点に配置する急速継手の使用。
【発明の詳細な説明】
【詳細な説明】
【０００１】
本発明は、請求項１の前段に記載の方法と、本方法により製造されるエレベータと、請求項５の前段に記載のエレベータと、請求項12の前段に記載の使用とに関するものである。
【０００２】
現在、エレベータの設置における問題は、シャフトの断面積をできるかぎり効率的に使用することを目的としているため、空間の余裕がないことである。とくに、釣合い重りのないエレベータの場合、これは、かご壁とシャフト壁との間の間隔を非常に小さくすることにつながる。さらに、エレベータかごの上下両方のシャフト空間を最小化することは、エレベータの設置ばかりでなく、その構造に関する問題にもつながる。
【０００３】
従来技術の方式において、たとえば方向転換プーリは、たとえば、かご、釣合い重り、またはフレーム構体もしくは同等のものに固定して取り付けられている。このような方式において、エレベータの設置、およびそれに対して行われる保守作業に関連して方向転換プーリを取り外す必要がある。
【０００４】
しかし、従来技術に関してはかなりの欠点がある。上述のごとく建設されたエレベータにおいては、設置のときに必要な空間ばかりでなく、また保守中に必要な空間も狭い。さらに、複数の方向転換プーリの同時取り外しが、従来装置を用いている場合はほぼ不可能である。このことが困難を生じ、エレベータの設置および保守の遅れにつながる。
【０００５】
本発明は、これらの欠点を克服し、完全に新規な種類の方式を達成することを目的とする。本発明は、複数の方向転換プーリ、複数組の方向転換プーリ、および/または複数のローププーリの容易な設置を可能にし、それによって保守中における本方式の使用も可能にすることを目的とする。
【０００６】
本発明はひとつの概念に基づいており、この概念にしたがって、少なくとも１つの方向転換プーリの設置および/または据え付けの方法は、少なくとも１つのローププーリを含む。このような方法にしたがって、方向転換プーリをロープとともに、エレベータシャフトのエレベータの近辺に配置し、そこでこの方向転換プーリを急速継手によって固定点へ取り付けている。代わりとして、装備された方向転換プーリをエレベータの近辺またはエレベータシャフトに配置することができ、そこで方向転換プーリを急速継手によって固定点へ取り付ける。
【０００７】
上述の方法によれば、方向転換プーリは、急速継手を解放することによって取り外される。必要な場合、保守のために、望ましくはエレベータかごを懸垂して、滑車装置または同等のものによって支持するようにしている。代わりに、かごを他の手段によって所定位置に固定することができる。
【０００８】
本発明の方法によって、エレベータを確実、迅速、かつ経済的に設置することができる。さらに、新しい建物に加えて、本発明の方法を最新化プロジェクトにおいても用いることができ、本方法は、特殊なエレベータの形式に限定されることはない。すなわち、本方法を、釣合い重りなしのエレベータ、および釣合い重り付きのエレベータの両方に用いることができる。加えて、本方法を、必要に応じて他の巻き上げ装置において利用することもできる。
【０００９】
さらに、本発明は、フレーム構体によって所定位置に据え付けられた少なくとも１つの方向転換プーリと、多数のロープで構成されているローピングとを含むエレベータにおける請求項の前段に従った設置装置に関するものであり、ロープの通行が、少なくとも一組の方向転換プーリを用いて配設されている。このような装置は、少なくとも一組の方向転換プーリを含み、これを急速継手によって取り外し可能に取り付けるように配設している。用いられているマウンティングは、必要に応じてフレーム構体、かご、釣合い重り、エレベータシャフト、または同等のものでよい。解放可能な一組の方向転換プーリは、プーリに利用可能な空間が非常に小さいため、非常に有利な方式である。したがって、一組の方向転換プーリをより大きな空間のある場所、すなわち、安全迅速に解放および固定できる場所への移動を実現することは非常に有利である。このような空間をたとえば、かごよりも上に設けることができる。
【００１０】
本装置による一組の方向転換プーリは、少なくとも１つの方向転換プーリと、フレーム構体もしくはボックス部品から成り、望ましくは、フレーム構体もしくはボックス部品は、少なくとも１つのボックス部品、または１つの部品から成る。ボックス部品は、望ましくは少なくとも１つの方向転換プーリへ取り外し可能に固定されるように配設されている。ボックス部品が２つ以上の部品で構成されている場合、これらを一緒に有利に固定することもできる。
【００１１】
本装置による一組の方向転換プーリは、偶数個の方向転換プーリを含む。方向転換プーリの数が２個である場合が、とくに望ましい。このような場合、方向転換プーリに対して働く反対の力が有利に、互いにほぼ打ち消し合う。残るものは、望ましくは、反対の力の間の差だけである。この構造のため、本方式の一組の方向転換プーリは、たとえば上部および下部の索具装置により生じる力などの大きなモーメントの力にさえも耐えることができる。なぜならば、実際おいて、有利な方向転換プーリの構造により、これらは互いに打ち消し合うからである。
【００１２】
本発明の一組の方向転換プーリのフレーム構体またはボックス部品には取付け用要素が配設されており、取付け用要素をその対応部品と、フレーム構体に取り付けられている少なくとも１つの方向転換プーリに対して急速継手によって取り外し可能に固定することができる。当該急速継手はたとえば、バネによって固定可能ないわゆるキーホール継手でもよい。バネにより、フレーム構体が、望ましくは細い形のキ−ホール部の一部から離脱することを防ぐ。
【００１３】
本発明の一組の方向転換プーリに対して取り外し可能なガード要素を取り付けて、ロープを案内することもできる。代わりに、ガード要素もロープを所定位置に保つ。さらにガード要素は、どのような材料からでも作られ、望ましくはたとえばプラスチックから作られ、くずまたは同様のものが、一組の方向転換プーリ内へ、とくにボックス部品間の隙間部分へ入り込むことを妨げる。
【００１４】
さらに、本発明は、エレベータにおける急速継手の用法に関するものであり、エレベータは、少なくとも１つのフレーム構体によって所定位置に取り付けられた少なくとも１つのローププーリと、多数のロープから構成されている一組のロープとを含み、ロープの通行が少なくとも一組の方向転換プーリを用いて配設されている。
【００１５】
より詳細に言えば、本発明の方法および装置は、請求項１と、５と、12の特徴部に開示することを特徴とする。
【００１６】
次に、添付の図面を参照して、本発明を詳細に説明する。添付の図面は、本発明による設置および/または据え付け方法と、エレベータとを示す。
【００１７】
添付の図面を参照して、本発明をここでさらに詳細に検討する。
【００１８】
図１は、エレベータシャフト２のフレーム構体３付きエレベータかご１を示す。同図はさらに、巻上げ機４と、複数のローププーリ５と、複数組の方向転換プーリ６とを示す。ロープ自体は、同図を簡略化するために図示しない。本実施例において、複数組の方向転換プーリ６はフレーム構体３に取り付けられている。この代わりに、これら複数組の方向転換プーリ６を当然、ガイドレールに取り付けてもよい。
【００１９】
図２において、フレーム構体３付きのエレベータかご１を、保守状態において示し、ここでは、一組の方向転換プーリ6aがロープ７に沿って保守位置へ駆動されて、サービスマンは、エレベータかご１の頂部８に立ちながら安全に保守作業を行える。同様な状態を、エレベータを設置中にも当然利用することができる。エレベータかごは、望ましくはその上部で、より狭くしてもよく、図示しないたとえば巻上げ機などのシャフト内の他の装置を、エレベータかごに関してもっと容易に配置できる。
【００２０】
図３は、複数組の方向転換プーリ６およびフレーム構体３を示す。同図において、一組の方向転換プーリ6aは、フレーム構体から取り外されている。同図は、一組の方向転換プーリ6aのボックス部品８も示す。同図におけるボックス部品は、２つ以上の部品8aおよび8bから成る。さらに同図は、穴９も示し、これは望ましくは、一方の縁端部で、より狭い。同図は２つの穴を示し、これらのうちの一方には固定用要素10、望ましくはバネを取り付けている。同図に示すいわゆるキーホール継手は、別個の道具がなくても、一組の方向転換プーリの容易な急速接続を可能にする。一組の方向転換プーリの対応部品は、図４に詳細に示され、穴９に配され、バネ10が一組の方向転換プーリを所定位置にしっかり締める。したがって、ボルトなどの別個の固定用要素はまったく必要なく、設置をかなり、より迅速に行うことができる。
【００２１】
４は、他の方向から見た一組の方向転換プーリ６を示す。取付け穴９およびバネ10を、ここでは他方の側から見ることができ、さらに同図は対応部品8cを示し、これは一組の方向転換プーリに設けられ、急速継手の穴９に配置される。本実施例において、対応部品8cは、望ましくはボックス部品８の一体化部品であるが、当然それは、ボックス部品８へ取り付ける別個の固定用要素でもよい。ボックス部品8aおよび8bの間にはいわゆる間隙15が形成され、これは、望ましくない状態においてはごみがボックス内へ進入することを許すかもしれず、このため、一組の方向転換プーリの作動を妨げるかもしれない。
【００２２】
図5aは、一組の方向転換プーリ６の組立てを示し、ここではボックス部品８は複数のさまざまな部品から構成されている。ボックス部品8aには、これと一体化した対応部品8cが設けられており、さらに別個のボックス部品8bには、これと一体化したガード要素8dが設けられている。ガード要素は、別個の取り外し可能なガード要素8dから成ることもできる。ガード要素8dは間隙保護装置として働き、一組の方向転換プーリ６の中へ不純物が侵入するのを防ぐとともに、ロープを案内する。ロープは、同図には示していない。方向転換プーリ11は軸12に、他の軸13、望ましくはスリーブおよび望ましくはリテーナネジ14によって取り付けられる。このようにして、製造と設置の両方が容易で経済的かつコンパクトな一組の方向転換プーリ６が達成される。
【００２３】
図5bは、一組の方向転換プーリ６の断面図を示し、ここではプーリ11の他に、プーリ11aを周回する上部ロープ7aと、プーリ11bを周回する下部ロープ7bも示している。同図から分かるように、この組は、望ましくは偶数の方向転換プーリを含み、ここでは２つのプーリであり、上部および下部のロープにより生成される力が有利には互いに打ち消し合って、一組の方向転換プーリには望ましくはこれらの差だけが残る。
【００２４】
図６は、ローププーリ５の組立図を示し、ここではボックス部品８は、望ましくは異形部品から作られている。さらに、同図は、プーリ11および軸12を示しており、望ましくはスリーブである軸13、および止めねじ14が、プーリの取り付けに必要である。必要な場合、必要な数のスペーサー15を、この構体へ追加することもできる。
【００２５】
本発明の方法および装置は、請求項１、５および12の特徴部に開示することを特徴とする。本発明の他の実施例は、その他の請求項に開示することを特徴とする。本発明の実施例は、本願の明細書にも示されている。本願に開示された発明の内容を、上記特許請求の範囲に規定されている以外の方法で規定することもできる。とくに本発明を、記述されているもしくは暗黙の下位の任務に照らして、または達成される複数の利点、もしくは一連の利点に関して考慮する場合、本発明の内容を、複数の別個の発明から構成してもよい。上記の特許請求の範囲に含まれる属性のうちのいくつかを、別個の発明の概念の観点から、不要であるとしてもよい。
【００２６】
本発明は、上記実施例に限定されることはなく、そこでは、一例として本発明は説明され、本発明のさまざまな実施例は、上記の特許請求の範囲に記載された発明の概念の範囲内で可能であることは、当業者には明らかである。
【図面の簡単な説明】
【００２７】
【図１】図１は、エレベータが設置されて、運転されている状態における本発明による方式を示す。
【図２】図２は、エレベータの保守の間に用いる本発明による方式を示す。
【図３】図３は、取り外されている状態における一組の方向転換プーリの構造を示す。
【図４】図４は、取り外されている状態における他の方向から見た一組の方向転換プーリの構造を示す。
【図５ａ】図5aは、一組の方向転換プーリの構造を、いわゆる分解組立図で示す。
【図５ｂ】図5bは、一組の方向転換プーリの制御信号図を示す。
【図６】図６は、一組の方向転換プーリの構造を、いわゆる分解図で示す。
【図１】
2007511450.tif 000003
【図２】
2007511450.tif 000004
【図３】
2007511450.tif 000005
【図４】
2007511450.tif 000006
【図５ａ】
2007511450.tif 000007
【図５ｂ】
2007511450.tif 000008
【図６】
2007511450.tif 000009
【国際調査報告】
2007511450.tif 000010
2007511450.tif 000011